(57)【要約】【課題】天井面から垂下されたねじ棒に、着脱作業が容易で、しかも作業者の安全帯のフックが外れることのない脱落防止用安全帯のフック保持装置を提供することを目的とする。【解決手段】ねじ棒５２のねじ溝と係合する第１の係止部４１Ａ、４２Ａと、ねじ棒５２のねじ溝と係合する第２の係止部４１Ｂ、４２Ｂと、フック５３を掛ける取付穴を形成するリング部１１，２１とが形成され、第１の係止部４１Ａ、４２Ａが係合するねじ溝の位置と、第２の係止部４１Ｂ、４２Ｂが係合するねじ溝の位置とが所定の間隔を有し、フック５３によってリング部１１、２１に引張力が加わった場合に、第１の係止部４１Ａ、４２Ａがねじ溝に作用する力の方向と、第２の係止部４１Ｂ、４２Ｂがねじ溝に作用する力の方向とが異なるようにリング部１１、２１を配置したものである。【選択図】        図５
2006297055.tif 000002
【特許請求の範囲】
【請求項１】
天井面から垂下されたねじ棒に着脱可能に設置され、脱落防止用安全帯に連結されたフックを掛けるための脱落防止用安全帯のフック保持装置であって、前記ねじ棒のねじ溝と係合する第１の係止部と、前記ねじ棒の前記ねじ溝と係合する第２の係止部と、前記フックを掛ける取付穴を形成するリング部とが形成され、前記第１の係止部が係合する前記ねじ溝の位置と、前記第２の係止部が係合する前記ねじ溝の位置とが所定の間隔を有し、前記フックによって前記リング部に引張力が加わった場合に、前記第１の係止部が前記ねじ溝に作用する力の方向と、前記第２の係止部が前記ねじ溝に作用する力の方向とが異なるように前記リング部を配置したことを特徴とする脱落防止用安全帯のフック保持装置。
【請求項２】
開閉板Ａの一端側と開閉板Ｂの一端側とを回動自在に連結する開閉支点軸と、前記開閉板Ａと前記開閉板Ｂとが閉となる方向に付勢する弾性部材とを備え、前記リング部を、前記開閉板Ａの他端側と前記開閉板Ｂの他端側に設け、前記第１の係止部と前記第２の係止部とを、前記開閉支点軸と前記リング部との間に形成したことを特徴とする請求項１に記載の脱落防止用安全帯のフック保持装置。
【請求項３】
前記開閉板Ａと前記開閉板Ｂとを、一端側に握り片を他端側に前記リング部を連接した基板と、前記基板の一端から他端までの間の側片を折り曲げて形成される一対の側壁部とで構成し、一対の前記側壁部の一端側に前記開閉支点軸を設けるとともに、一対の前記側壁部に凹部を形成し、前記凹部によって前記第１の係止部と前記第２の係止部とを形成したことを特徴とする請求項２に記載の脱落防止用安全帯のフック保持装置。
【請求項４】
前記握り片と前記リング部とが前記基板と同一部材であり、プレス加工によって形成されたことを特徴とする請求項３に記載の脱落防止用安全帯のフック保持装置。
【請求項５】
一対の前記側壁部にはそれぞれ複数の凹部が形成され、一端側の前記凹部よりも他端側の前記凹部を大きく形成したことを特徴とする請求項３に記載の脱落防止用安全帯のフック保持装置。
【請求項６】
一対の前記側壁部の他端側にはそれぞれロック穴が形成され、前記ロック穴に挿入されるロック棒を備えたことを特徴とする請求項３に記載の脱落防止用安全帯のフック保持装置。
【請求項７】
一方の前記側壁部に形成した前記ロック穴に対応させた一方の前記ロック棒と、他方の前記側壁部に形成した前記ロック穴に対応させた他方の前記ロック棒とがロックレバーによって連結され、前記ロックレバーは弾性部材によって形成され、前記ロックレバーの弾性力によって前記ロック棒が前記ロック穴への挿入方向に付勢されていることを特徴とする請求項６に記載の脱落防止用安全帯のフック保持装置。
【請求項８】
一方の前記側壁部に形成した前記ロック穴に対応させた前記ロック棒がロックレバーに連結され、前記ロックレバーは弾性部材によって前記ロック棒が前記ロック穴への挿入方向に付勢されていることを特徴とする請求項６に記載の脱落防止用安全帯のフック保持装置。
【請求項９】
前記基板には側面穴が形成され、前記ロックレバーの弾性力を前記側面穴によって規制していることを特徴とする請求項７に記載の脱落防止用安全帯のフック保持装置。
【請求項１０】
前記第１の係止部と前記第２の係止部との間に保持体を設け、前記保持体には前記ねじ溝と係合するねじ山を有することを特徴とする請求項１に記載の脱落防止用安全帯のフック保持装置。
【請求項１１】
前記保持体の一端側で前記第１の係止部を形成し、前記保持体の他端側で前記第２の係止部を形成することを特徴とする請求項１０に記載の脱落防止用安全帯のフック保持装置。
【請求項１２】
ねじ溝が形成された棒に着脱可能に設置される保持装置であって、前記ねじ溝と係合する第１の係止部と、前記ねじ溝と係合する第２の係止部と、負荷を受ける荷重部とが形成され、前記第１の係止部が係合する前記ねじ溝の位置と、前記第２の係止部が係合する前記ねじ溝の位置とが所定の間隔を有し、前記荷重部に負荷が加わった場合に、前記第１の係止部が前記ねじ溝に作用する力の方向と、前記第２の係止部が前記ねじ溝に作用する力の方向とが異なるように前記荷重部を配置したことを特徴とする保持装置。
【請求項１３】
開閉板Ａの一端側と開閉板Ｂの一端側とを回動自在に連結する開閉支点軸と、前記開閉板Ａと前記開閉板Ｂとが閉となる方向に付勢する弾性部材とを備え、前記荷重部を、前記開閉板Ａの他端側と前記開閉板Ｂの他端側に設け、前記第１の係止部と前記第２の係止部とを、前記開閉支点軸と前記荷重部との間に形成したことを特徴とする請求項１２に記載の保持装置。
【請求項１４】
前記開閉板Ａと前記開閉板Ｂとを、一端側に握り片を他端側に前記荷重部を連接した基板と、前記基板の一端から他端までの間の側片を折り曲げて形成される一対の側壁部とで構成し、一対の前記側壁部の一端側に前記開閉支点軸を設けるとともに、一対の前記側壁部に凹部を形成し、前記凹部によって前記第１の係止部と前記第２の係止部とを形成したことを特徴とする請求項１３に記載の保持装置。
【発明の詳細な説明】
【技術分野】
【０００１】
本願発明は、天井面から垂下されたねじ棒に着脱可能に設置され、脱落防止用安全帯に連結されたフックを掛けるための脱落防止用安全帯のフック保持装置に関する。
【背景技術】
【０００２】
従来、天井面から垂下されたねじ棒を利用した脱落防止用安全帯のフック保持装置は提案されていない。以下に、天井面から垂下されたねじ棒を利用した配管支持金物について図８から図１０を用いて説明する（特許文献１）。
作業者が高所において配管支持金物を使用して作業する場合、係止部２の吊りボルト１２５を天井材Ｂに埋設して係止部２を予め天井材Ｂの所定個所に取り付ける。そして、配管材Ａを床起きした状態で、配管材Ａの所定個所に支持部１を取り付け、その後にこの支持部１の取り付けられた配管材Ａを脚立足場Ｌ等を利用して天井材Ｂ近傍まで持上げ、連結部３により配管材Ａに取り付けられた支持部１と天井材Ｂに取り付けられた係止部２とをワンタッチで連結して、配管材Ａを天井材Ｂに吊り下げ支持する。
そして、このように配管材Ａを吊り下げ支持した後に、プッシュロック型固着具１４０を係止本体１２３と弾性延長部１３５とに押し込んで両者を固着する。
この配管支持金物は、配管材Ａの外周面を狭持するように支持する支持部１のうち、開閉自在な半円帯状支持体１１０の端部に延設されたフランジ１１２から、垂直延長部１３３を介して斜め下がりの固定フック１３４を延設し、吊りボルト１２５によって天井材Ｂに吊り下げられる係止部２のうち、係止本体１２３の側縁１２２の下端部内側に、上方にのみ回転する斜め上がりの開閉フック１３２を回転自在に取り付け、床作業によって配管材Ａに取り付けられた支持部１ごと、固定フック１３４を押し上げ開閉フック１３２の上方に位置させることで、開閉フック１３２上に固定フック１３４を掛けて、支持部１及びそれに支持された配管材Ａを係止部２にワンタッチで吊り下げ支持するものである。
【特許文献１】実開平６−４３４６４号公報
【発明の開示】
【発明が解決しようとする課題】
【０００３】
このように従来の配管支持金物は、係止部２の吊りボルト１２５を天井材Ｂに埋設して係止部２を予め天井材Ｂの所定個所に取り付けておき、配管材Ａの所定個所に支持部１を取り付けた後に、支持部１の取り付けられた配管材Ａを脚立足場Ｌ等を利用して天井材Ｂ近傍まで持上げ、連結部３により配管材Ａに取り付けられた支持部１と天井材Ｂに吊り下げ支持するものであるが、重いものを持上げる時に作業者の落下等の危険があった。
【０００４】
そこで本発明は、天井面から垂下されたねじ棒に、着脱作業が容易で、しかも作業者の安全帯のフックが外れることのない脱落防止用安全帯のフック保持装置を提供することを目的とする。
【課題を解決するための手段】
【０００５】
請求項１記載の本発明の脱落防止用安全帯のフック保持装置は、天井面から垂下されたねじ棒に着脱可能に設置され、脱落防止用安全帯に連結されたフックを掛けるための脱落防止用安全帯のフック保持装置であって、前記ねじ棒のねじ溝と係合する第１の係止部と、前記ねじ棒の前記ねじ溝と係合する第２の係止部と、前記フックを掛ける取付穴を形成するリング部とが形成され、前記第１の係止部が係合する前記ねじ溝の位置と、前記第２の係止部が係合する前記ねじ溝の位置とが所定の間隔を有し、前記フックによって前記リング部に引張力が加わった場合に、前記第１の係止部が前記ねじ溝に作用する力の方向と、前記第２の係止部が前記ねじ溝に作用する力の方向とが異なるように前記リング部を配置したことを特徴とする。
請求項２記載の本発明は、請求項１に記載の脱落防止用安全帯のフック保持装置において、開閉板Ａの一端側と開閉板Ｂの一端側とを回動自在に連結する開閉支点軸と、前記開閉板Ａと前記開閉板Ｂとが閉となる方向に付勢する弾性部材とを備え、前記リング部を、前記開閉板Ａの他端側と前記開閉板Ｂの他端側に設け、前記第１の係止部と前記第２の係止部とを、前記開閉支点軸と前記リング部との間に形成したことを特徴とする。
請求項３記載の本発明は、請求項２に記載の脱落防止用安全帯のフック保持装置において、前記開閉板Ａと前記開閉板Ｂとを、一端側に握り片を他端側に前記リング部を連接した基板と、前記基板の一端から他端までの間の側片を折り曲げて形成される一対の側壁部とで構成し、一対の前記側壁部の一端側に前記開閉支点軸を設けるとともに、一対の前記側壁部に凹部を形成し、前記凹部によって前記第１の係止部と前記第２の係止部とを形成したことを特徴とする。
請求項４記載の本発明は、請求項３に記載の脱落防止用安全帯のフック保持装置において、前記握り片と前記リング部とが前記基板と同一部材であり、プレス加工によって形成されたことを特徴とする。
請求項５記載の本発明は、請求項３に記載の脱落防止用安全帯のフック保持装置において、一対の前記側壁部にはそれぞれ複数の凹部が形成され、一端側の前記凹部よりも他端側の前記凹部を大きく形成したことを特徴とする。
請求項６記載の本発明は、請求項３に記載の脱落防止用安全帯のフック保持装置において、一対の前記側壁部の他端側にはそれぞれロック穴が形成され、前記ロック穴に挿入されるロック棒を備えたことを特徴とする。
請求項７記載の本発明は、請求項６に記載の脱落防止用安全帯のフック保持装置において、一方の前記側壁部に形成した前記ロック穴に対応させた一方の前記ロック棒と、他方の前記側壁部に形成した前記ロック穴に対応させた他方の前記ロック棒とがロックレバーによって連結され、前記ロックレバーは弾性部材によって形成され、前記ロックレバーの弾性力によって前記ロック棒が前記ロック穴への挿入方向に付勢されていることを特徴とする。
請求項８記載の本発明は、請求項６に記載の脱落防止用安全帯のフック保持装置において、一方の前記側壁部に形成した前記ロック穴に対応させた前記ロック棒がロックレバーに連結され、前記ロックレバーは弾性部材によって前記ロック棒が前記ロック穴への挿入方向に付勢されていることを特徴とする。
請求項９記載の本発明は、請求項７に記載の脱落防止用安全帯のフック保持装置において、前記基板には側面穴が形成され、前記ロックレバーの弾性力を前記側面穴によって規制していることを特徴とする。
請求項１０記載の本発明は、請求項１に記載の脱落防止用安全帯のフック保持装置において、前記第１の係止部と前記第２の係止部との間に保持体を設け、前記保持体には前記ねじ溝と係合するねじ山を有することを特徴とする。
請求項１１記載の本発明は、請求項１０に記載の脱落防止用安全帯のフック保持装置において、前記保持体の一端側で前記第１の係止部を形成し、前記保持体の他端側で前記第２の係止部を形成することを特徴とする。
請求項１２記載の本発明の保持装置は、ねじ溝が形成された棒に着脱可能に設置される保持装置であって、前記ねじ溝と係合する第１の係止部と、前記ねじ溝と係合する第２の係止部と、負荷を受ける荷重部とが形成され、前記第１の係止部が係合する前記ねじ溝の位置と、前記第２の係止部が係合する前記ねじ溝の位置とが所定の間隔を有し、前記荷重部に負荷が加わった場合に、前記第１の係止部が前記ねじ溝に作用する力の方向と、前記第２の係止部が前記ねじ溝に作用する力の方向とが異なるように前記荷重部を配置したことを特徴とする。
請求項１３記載の本発明は、請求項１２に記載の保持装置において、開閉板Ａの一端側と開閉板Ｂの一端側とを回動自在に連結する開閉支点軸と、前記開閉板Ａと前記開閉板Ｂとが閉となる方向に付勢する弾性部材とを備え、前記荷重部を、前記開閉板Ａの他端側と前記開閉板Ｂの他端側に設け、前記第１の係止部と前記第２の係止部とを、前記開閉支点軸と前記荷重部との間に形成したことを特徴とする。
請求項１４記載の本発明は、請求項１３に記載の保持装置において、前記開閉板Ａと前記開閉板Ｂとを、一端側に握り片を他端側に前記荷重部を連接した基板と、前記基板の一端から他端までの間の側片を折り曲げて形成される一対の側壁部とで構成し、一対の前記側壁部の一端側に前記開閉支点軸を設けるとともに、一対の前記側壁部に凹部を形成し、前記凹部によって前記第１の係止部と前記第２の係止部とを形成したことを特徴とする。
【発明の効果】
【０００６】
以上説明したように、本発明によれば、本装置を取り付ける場合は、一定の高さの脚立足場やローリングタワーで作業しながら、ねじ棒に配管やコード等を固定する作業時でも簡単に、ねじ棒の種類に応じてフック保持装置を取り付けできる。
【発明を実施するための最良の形態】
【０００７】
本発明の第１の実施の形態による脱落防止用安全帯のフック保持装置は、ねじ棒のねじ溝と係合する第１の係止部と、ねじ棒のねじ溝と係合する第２の係止部と、フックを掛ける取付穴を形成するリング部とが形成され、第１の係止部が係合するねじ溝の位置と、第２の係止部が係合するねじ溝の位置とが所定の間隔を有し、フックによってリング部に引張力が加わった場合に、第１の係止部がねじ溝に作用する力の方向と、第２の係止部がねじ溝に作用する力の方向とが異なるようにリング部を配置したものである。本実施の形態によれば、所定の間隔を有する２つの係止部によって天井面から垂下されたねじ棒に対してフック保持装置を設置することができる。
本発明の第２の実施の形態は、第１の実施の形態による脱落防止用安全帯のフック保持装置において、開閉板Ａの一端側と開閉板Ｂの一端側とを回動自在に連結する開閉支点軸と、開閉板Ａと開閉板Ｂとが閉となる方向に付勢する弾性部材とを備え、リング部を、開閉板Ａの他端側と開閉板Ｂの他端側に設け、第１の係止部と第２の係止部とを、開閉支点軸とリング部との間に形成したものである。本実施の形態によれば、一端側を支点に開閉する２つの開閉板によって係止部を形成しているため、開閉板の開閉動作によってねじ棒にフック保持装置を設置することができるので簡単に着脱を行うことができる。また、本実施の形態のように、リング部を他端側に形成することで、ねじ棒に対するモーメント力を大きくすることができるので、フック保持部材のねじ棒からの離脱を確実に防止することができる。
本発明の第３の実施の形態は、第２の実施の形態による脱落防止用安全帯のフック保持装置において、開閉板Ａと開閉板Ｂとを、一端側に握り片を他端側にリング部を連接した基板と、基板の一端から他端までの間の側片を折り曲げて形成される一対の側壁部とで構成し、一対の側壁部の一端側に開閉支点軸を設けるとともに、一対の側壁部に凹部を形成し、凹部によって第１の係止部と第２の係止部とを形成したものである。本実施の形態によれば、係止部を凹部による挟み込みによって形成することができるので、ねじ棒にフック保持装置を簡単に着脱することができる。
本発明の第４の実施の形態は、第３の実施の形態による脱落防止用安全帯のフック保持装置において、握り片とリング部とが基板と同一部材であり、プレス加工によって形成されたものである。本実施の形態によれば、特にリング部を溶接によって形成しないために、安全性を確保しやすい。
本発明の第５の実施の形態は、第３の実施の形態による脱落防止用安全帯のフック保持装置において、一対の側壁部にはそれぞれ複数の凹部が形成され、一端側の凹部よりも他端側の凹部を大きく形成したものである。本実施の形態によれば、異なる径のねじ棒に対しても設置が可能となるとともに、大きな径のねじ棒を一端側の係止部に装着しようとすると、開閉板の閉動作を行うことができないため、ねじ棒に対してフック保持装置を間違って設置することを防止することができる。
本発明の第６の実施の形態は、第３の実施の形態による脱落防止用安全帯のフック保持装置において、一対の側壁部の他端側にはそれぞれロック穴が形成され、ロック穴に挿入されるロック棒を備えたものである。本実施の形態によれば、他端側にロック穴を形成しているため、ねじ棒に対してフック保持装置を間違って設置することを防止することができるとともに、確実なロック動作を行うことができる。
本発明の第７の実施の形態は、第６の実施の形態による脱落防止用安全帯のフック保持装置において、一方の側壁部に形成したロック穴に対応させた一方のロック棒と、他方の側壁部に形成したロック穴に対応させた他方のロック棒とがロックレバーによって連結され、ロックレバーは弾性部材によって形成され、ロックレバーの弾性力によってロック棒がロック穴への挿入方向に付勢するものである。本実施の形態によれば、一対のロック棒によってロック機構を構成するとともに、ロック棒に対する付勢力をロックレバーで行うために確実なロック動作を行うことができる。
本発明の第８の実施の形態は、第６の実施の形態による脱落防止用安全帯のフック保持装置において、一方の側壁部に形成したロック穴に対応させたロック棒がロックレバーに連結され、ロックレバーは弾性部材によってロック棒がロック穴への挿入方向に付勢されているものである。本実施の形態によれば、ロック棒によってロック機構を構成するとともに、ロック棒に対する付勢力を弾性部材で行うために確実なロック動作を行うことができる。
本発明の第９の実施の形態は、第７の実施の形態による脱落防止用安全帯のフック保持装置において、基板には側面穴が形成され、ロックレバーの弾性力を側面穴によって規制するものである。本実施の形態によれば、基板を有効に利用できるとともに、ロック動作の確認を行いやすい。
本発明の第１０の実施の形態は、第１の実施の形態による脱落防止用安全帯のフック保持装置において、第１の係止部と第２の係止部との間に保持体を設け、保持体にはねじ溝と係合するねじ山を有するものである。本実施の形態によれば、保持体によってねじ棒との結合を確実に行える。
本発明の第１１の実施の形態は、第１０の実施の形態による脱落防止用安全帯のフック保持装置において、保持体の一端側で第１の係止部を形成し、保持体の他端側で第２の係止部を形成するものである。本実施の形態によれば、第１の係止部と第２の係止部を保持体によって形成することができる。
本発明の第１２の実施の形態による保持装置は、ねじ溝と係合する第１の係止部と、ねじ溝と係合する第２の係止部と、負荷を受ける荷重部とが形成され、第１の係止部が係合するねじ溝の位置と、第２の係止部が係合するねじ溝の位置とが所定の間隔を有し、荷重部に負荷が加わった場合に、第１の係止部がねじ溝に作用する力の方向と、第２の係止部がねじ溝に作用する力の方向とが異なるように荷重部を配置したものである。本実施の形態によれば、所定の間隔を有する２つの係止部によって棒に対して保持装置を設置することができる。
本発明の第１３の実施の形態は、第１２の実施の形態による保持装置において、開閉板Ａの一端側と開閉板Ｂの一端側とを回動自在に連結する開閉支点軸と、開閉板Ａと開閉板Ｂとが閉となる方向に付勢する弾性部材とを備え、荷重部を、開閉板Ａの他端側と開閉板Ｂの他端側に設け、第１の係止部と第２の係止部とを、開閉支点軸と荷重部との間に形成したものである。本実施の形態によれば、一端側を支点に開閉する２つの開閉板によって係止部を形成しているため、開閉板の開閉動作によって棒に保持装置を設置することができるので簡単に着脱を行うことができる。また、本実施の形態のように、荷重部を他端側に形成することで、棒に対するモーメント力を大きくすることができるので、保持部材の棒からの離脱を確実に防止することができる。
本発明の第１４の実施の形態は、第１３の実施の形態による保持装置において、開閉板Ａと開閉板Ｂとを、一端側に握り片を他端側に荷重部を連接した基板と、基板の一端から他端までの間の側片を折り曲げて形成される一対の側壁部とで構成し、一対の側壁部の一端側に開閉支点軸を設けるとともに、一対の側壁部に凹部を形成し、凹部によって第１の係止部と第２の係止部とを形成したものである。本実施の形態によれば、係止部を凹部による挟み込みによって形成することができるので、棒に保持装置を簡単に着脱することができる。
【実施例】
【０００８】
以下、本発明の一実施例を図１から図５に従って説明する。
図１は本実施例による脱落防止用安全帯のフック保持装置の閉状態を示す斜視図、図２は同装置開状態を示す斜視図、図３は同装置のロック状態を示す要部断面図、図４は同装置のロック解除状態を示す要部断面図、図５は同装置の設置状態を示す斜視図である。
本実施例による脱落防止用安全帯のフック保持装置は、一対の開閉板１０、２０と、開閉板１０の一端側と開閉板２０の一端側とを回動自在に連結する開閉支点軸３１と、開閉板１０と開閉板２０とが閉となる方向に付勢する弾性部材３２とを備えている、開閉板１０の他端側にはリング部１１を、開閉板２０の他端側にはリング部２１を設けている。ここでリング部１１、２１は、フックが配置される一端側を狭く、他端側を広くした三角形上の開口であることが好ましい。また、第１の係止部４１Ａ、４２Ａと第２の係止部４１Ｂ、４２Ｂとは、開閉支点軸３１とリング部１１、２１との間に形成している。
開閉板１０は、一端側に握り片１２を他端側にリング部１１を連接した基板１３と、基板１３の一端から他端までの間の側片を折り曲げて形成される一対の側壁部１４Ａ、１４Ｂとで構成されている。
同様に開閉板２０は、一端側に握り片２２を他端側にリング部２１を連接した基板２３と、基板２３の一端から他端までの間の側片を折り曲げて形成される一対の側壁部２４Ａ、２４Ｂとで構成されている。
【０００９】
また、開閉板１０は、一対の側壁部１４Ａ、１４Ｂの一端側に開閉支点軸３１を設けている。同様に開閉板２０は、一対の側壁部２４Ａ、２４Ｂの一端側に開閉支点軸３１を設けている。
そして、開閉板１０の側壁部１４Ａに形成した凹部と、開閉板２０の側壁部２４Ａに形成した凹部とによって第１の係止部４１Ａ、４２Ａを形成している。また、開閉板１０の側壁部１４Ｂに形成した凹部と、開閉板２０の側壁部２４Ｂに形成した凹部とによって第２の係止部４１Ｂ、４２Ｂを形成している。なお、側壁部１４Ａ、１４Ｂ、２４Ａ、２４Ｂに形成された複数の凹部は、一端側の凹部によって形成される第１の係止部４１Ａと第２の係止部４１Ｂよりも、他端側の凹部によって形成される第１の係止部４２Ａと第２の係止部４２Ｂを大きく形成している。
また、開閉板１０における一対の側壁部１４Ａ、１４Ｂの他端側には、それぞれロック穴１５Ａ、１５Ｂが形成されている。同様に開閉板２０における一対の側壁部２４Ａ、２４Ｂの他端側には、それぞれロック穴２５Ａ、２５Ｂが形成されている。
【００１０】
ロック棒３３Ａは、開閉板１０のロック穴１５Ａに配置され、開閉板２０のロック穴２５Ａに挿入されるように構成されている。また、ロック棒３３Ｂは、開閉板１０のロック穴１５Ｂに配置され、開閉板２０のロック穴２５Ｂに挿入されるように構成されている。
一方のロック棒３３Ａと、他方のロック棒３３Ｂとは、ロックレバー３４によって連結されている。ロックレバー３４は、弾性部材によって形成され、この弾性力によって、ロック棒３３Ａはロック穴２５Ａの挿入方向に付勢され、ロック棒３３Ｂはロック穴２５Ｂの挿入方向に付勢されている。
開閉板１０の基板１３には側面穴３５が形成され、ロックレバー３４の弾性力を規制している。側面穴３５には、幅狭部ａと幅広部ｂとが形成されており、ロックレバー３４を幅狭部ａに配置することで、ロック棒３３Ａとロック棒３３Ｂとの距離を縮め、ロックレバー３４を幅広部ｂに配置することで、ロック棒３３Ａとロック棒３３Ｂとの距離を広げる。ロック棒３３Ａとロック棒３３Ｂとの距離を縮めた状態ではロックは解除され、ロック棒３３Ａとロック棒３３Ｂとの距離を広げた状態ではロックされる。
【００１１】
図５は、天井面に設けたインサートナット５１にねじ棒５２が取り付けられ、このねじ棒５２に本実施例の装置を装着した状態を示している。
まず、ロックレバー３４を側面穴３５の幅狭部ａに配置してロックを解除した状態で、開閉板１０の握り片１２と開閉板２０の握り片２２とをつまむことで図２に示す状態となる。この状態で、第１の係止部４２Ａと第２の係止部４２Ｂの位置にねじ棒５２を配置する。なお、同図においては、大径のねじ棒５２を用いた場合を示している。
そして、開閉板１０の握り片１２と開閉板２０の握り片２２との狭持を解除すると、弾性部材３２の付勢力によって、同図に示すように開閉板１０と開閉板２０とが閉状態となる。この状態で第１の係止部４２Ａと第２の係止部４２Ｂは、所定の間隔を有してねじ棒５２のねじ溝に係合する。
次に、ロックレバー３４を側面穴３５の幅広部ｂに配置することで、ロック棒３３Ａは開閉板２０のロック穴２５Ａに挿入され、ロック棒３３Ｂは開閉板２０のロック穴２５Ｂに挿入され、ロック動作が完了する。
このロック動作を確認した後に、リング部１１、２１に、図示しない脱落防止用安全帯に連結されたフック５３を掛ける。
これにより万一作業中に作業者が脚立足場やローリングタワーからの落下によって、フック５３が引っ張られ、このフック５３によってリング部１１、２１に引張力が加わった場合には、第１の係止部４２Ａはねじ棒５２に対してＸの方向に力が作用し、一方第２の係止部４２Ｂはねじ棒５２に対して、Ｘとは反対のＹ方向に力が作用する。従って、フック保持装置はねじ棒５２に対するモーメント力によって保持される。
従って、安全帯のフック５３がフック保持装置から外れることがないため、人体の衝撃が大幅に緩和される。
【００１２】
なお、開閉板１０における握り片１２とリング部１１とは基板１３と同一部材であり、また、開閉板２０における握り片２２とリング部２１とは基板２３と同一部材であり、それぞれはプレス加工によって形成されることが好ましい。ただし、特にリング部１１、２１については、ワイヤーを用いて溶接によって基板１３、２３に接合することで、ワイヤーの端材による廃材利用ができるとともに、装置の小型化を図ることができる点では優れている。
また、本実施例では、脱落防止用安全帯のフック保持装置として説明したが、リング部１１、２１を、負荷を受ける荷重部とすることで、各種の保持装置として用いることができる。
【００１３】
以下、本発明の他の実施例を図６及び図７に従って説明する。
図６は本実施例による脱落防止用安全帯のフック保持装置の閉状態を示す斜視図、図７は同装置開状態を示す斜視図である。
本実施例による脱落防止用安全帯のフック保持装置は、一対の開閉板６０、７０と、開閉板６０の一端側と開閉板７０の一端側とを回動自在に連結する開閉支点軸８１と、開閉板６０と開閉板７０とが閉となる方向に付勢する弾性部材８２とを備えている。開閉板６０の他端側にはリング部６１を、開閉板７０の他端側にはリング部７１を設けている。ここでリング部６１、７１は、フックが配置される一端側を狭く、他端側を広くした開口であることが好ましい。また、リング部６１、７１は、断面がＵ字状となるように形成されている。第１の係止部９１Ａ、９２Ａと第２の係止部９１Ｂ、９２Ｂとは、開閉支点軸８１とリング部６１、７１との間に形成している。
開閉板６０は、一端側に握り片６２を他端側にリング部６１を連接した基板６３と、基板６３の一端から他端までの間の側片を折り曲げて形成される一対の側壁部６４Ａ、６４Ｂとで構成されている。
同様に開閉板７０は、一端側に握り片７２を他端側にリング部７１を連接した基板７３と、基板７３の一端から他端までの間の側片を折り曲げて形成される一対の側壁部７４Ａ、７４Ｂとで構成されている。
【００１４】
また、開閉板６０は、一対の側壁部６４Ａ、６４Ｂの一端側に開閉支点軸８１を設けている。同様に開閉板７０は、一対の側壁部７４Ａ、７４Ｂの一端側に開閉支点軸８１を設けている。
そして、開閉板６０の側壁部６４Ａに形成した凹部と、開閉板７０の側壁部７４Ａに形成した凹部とによって第１の係止部９１Ａ、９２Ａを形成している。また、開閉板６０の側壁部６４Ｂに形成した凹部と、開閉板７０の側壁部７４Ｂに形成した凹部とによって第２の係止部９１Ｂ、９２Ｂを形成している。なお、側壁部６４Ａ、６４Ｂ、７４Ａ、７４Ｂに形成された複数の凹部は、一端側の凹部によって形成される第１の係止部９１Ａと第２の係止部９１Ｂよりも、他端側の凹部によって形成される第１の係止部９２Ａと第２の係止部９２Ｂを大きく形成している。
基板６３の内側には保持体６６を取り付けている。この保持体６６には、第１の係止部９１Ａと第２の係止部９１Ｂとの間、及び第１の係止部９２Ａと第２の係止部９２Ｂとの間に、ねじ棒のねじ溝と係合するねじ山を形成した凹部を有している。
また、基板７３の内側には保持体７６を取り付けている。この保持体７６には、第１の係止部９１Ａと第２の係止部９１Ｂとの間、及び第１の係止部９２Ａと第２の係止部９２Ｂとの間に、ねじ棒のねじ溝と係合するねじ山を形成した凹部を有している。
そして、保持体６６に有する凹部と保持体７６に有する凹部とによって、開閉板６０と開閉板７０とが閉状態の時にねじ孔が形成される。
また、開閉板６０における一方の側壁部６４Ｂの他端側には、ロック穴６５Ｂが形成されている。同様に開閉板７０における一方の側壁部７４Ｂの他端側には、ロック穴７５Ｂが形成されている。
なお、本実施例では、第１の係止部９１Ａと第２の係止部９１Ｂとの間、及び第１の係止部９２Ａと第２の係止部９２Ｂとの間に、保持体６６、７６を設けたが、保持体６６、７６によって、第１の係止部９１Ａ、９２Ａと第２の係止部９１Ｂ、９２Ｂを形成してもよい。すなわち、保持体６６、７６の一端側で第１の係止部９１Ａ、９２Ａを形成し、保持体６６、７６の他端側で第２の係止部９１Ｂ、９２Ｂを形成することもできる。
【００１５】
ロック棒８３Ｂは、開閉板６０のロック穴６５Ｂに配置され、開閉板７０のロック穴７５Ｂに挿入されるように構成されている。
ロック棒８３Ｂは、ロックレバー８４に連結されている。ロック棒８３Ｂは、弾性部材８６によって、ロック穴７５Ｂの挿入方向に付勢されている。
開閉板６０の基板６３には側面穴８５が形成され、ロックレバー８４の動きを規制することで、弾性部材８６の弾性力を規制している。側面穴８５には、移動溝ａと規制溝ｂとが形成されており、ロックレバー８４を移動溝ａに配置することで、ロック棒８３Ｂをロック穴７５Ｂの挿入方向に移動させ、ロックレバー８４を規制溝ｂに配置することで、弾性部材８６の弾性力を規制する。
【産業上の利用可能性】
【００１６】
本発明による保持装置は、工事現場において用いられる脱落防止用安全帯のフック保持装置として利用できるほか、例えばねじ溝が少なくても一部に形成された棒への保持装置として利用することができる。
【図面の簡単な説明】
【００１７】
【図１】本発明の一実施例による脱落防止用安全帯のフック保持装置の閉状態を示す斜視図
【図２】同装置開状態を示す斜視図
【図３】同装置のロック状態を示す要部断面図
【図４】同装置のロック解除状態を示す要部断面図
【図５】同装置の設置状態を示す斜視図
【図６】本発明の他の実施例による脱落防止用安全帯のフック保持装置の閉状態を示す斜視図
【図７】同装置開状態を示す斜視図
【図８】配管支持金物の従来例を示す図
【図９】配管支持金物の従来例を示す図
【図１０】配管支持金物の従来例を示す図
【符号の説明】
【００１８】
１０    開閉板Ａ
１１、２１    リング部
１３    基板
１４Ａ、１４Ｂ  側壁部
１５Ａ、１５Ｂ  ロック穴
２０    開閉板Ｂ
２３    基板
２４Ａ、２４Ｂ  側壁部
２５Ａ、２５Ｂ  ロック穴
３１    開閉支点軸
３２    弾性部材
３４    ロックレバー
３３Ａ、３３Ｂ  ロック棒
３５    側面穴
４１Ａ、４２Ａ  第１の係止部
４１Ｂ、４２Ｂ  第２の係止部
５２    ねじ棒
５３    フック
【図１】
2006297055.tif 000003
【図２】
2006297055.tif 000004
【図３】
2006297055.tif 000005
【図４】
2006297055.tif 000006
【図５】
2006297055.tif 000007
【図６】
2006297055.tif 000008
【図７】
2006297055.tif 000009
【図８】
2006297055.tif 000010
【図９】
2006297055.tif 000011
【図１０】
2006297055.tif 000012